(57)【要約】      （修正有）【課題】捕虫性能及びインテリア性を共に向上できる捕虫器を提供する。【解決手段】誘虫性紫外線含有光を発光する光源３を備えた本体１と、本体の周囲の前側を囲む外套２と、を有する捕虫器において、本体は、光源の後方に配置された捕虫シート８と、捕虫シートの後方に配置された発光シート部材７と、を更に備えており、発光シート部材は、３５０〜４００ｎｍの範囲内にピーク波長を有する紫外線を受けると蛍光を発光する発光機能を、有する、シート本体を、備えており、シート本体が、一面側の一部に、捕虫用粘着剤が塗布された捕虫領域を、有している。【選択図】図７
2020156334.tif 000002
【特許請求の範囲】
【請求項１】
捕虫器に取り付けて使用される発光シート部材であって、
３５０〜４００ｎｍの範囲内にピーク波長を有する紫外線を受けると蛍光を発光する発光機能を、有する、シート本体を、備えており、
前記シート本体が、一面側の一部に、捕虫用粘着剤が塗布された捕虫領域を、有している、
ことを特徴とする発光シート部材。
【請求項２】
前記シート本体が、一面側に、透明フィルムを有しており、
前記捕虫領域が、前記透明フィルムに設けられており、
前記透明フィルムは、前記シート本体に対して着脱自在に設けられている、
請求項１記載の発光シート部材。
【請求項３】
前記捕虫領域は、前記捕虫器に取り付けた際に光源によって前記捕虫器の捕虫シートの影となる領域に、形成されている、
請求項１又は２に記載の発光シート部材。
【請求項４】
誘虫性紫外線含有光を発光する光源を備えた本体と、前記本体の少なくとも前方を囲む外套と、を有する捕虫器において、
前記本体は、
前記光源の後方に配置された捕虫シートと、
前記捕虫シートの後方に配置された、請求項１〜３のいずれか一つに記載の、発光シート部材と、を更に備えている、
ことを特徴とする捕虫器。
【請求項５】
前記本体は、前記光源を備えた底部と背部とを有する固定部と、前記捕虫シートと前記発光シート部材とを備えた可動部と、を有しており、
前記可動部は、前記固定部に対して着脱可能に設けられており、
前記捕虫シートは、前記可動部において交換可能に設けられており、
前記発光シート部材も、前記可動部において交換可能に設けられている、
請求項４記載の捕虫器。
【発明の詳細な説明】
【技術分野】
【０００１】
本発明は、捕虫器に取り付けて使用される発光シート部材、及び、その発光シート部材を備えた捕虫器、に関する。
【背景技術】
【０００２】
紫外線を照射する光源を備え、紫外線によって虫を誘引する、捕虫器は、従来から、種々知られている。
【先行技術文献】
【特許文献】
【０００３】
【特許文献１】特開２０１７−１４３７８５号公報
【特許文献２】特許第４６４０３３２号公報
【特許文献３】特許第４６４０３３３号公報
【発明の概要】
【発明が解決しようとする課題】
【０００４】
捕虫器には、当然ながら、捕虫性能の向上が求められるが、家庭用品であることから、インテリア性の向上も求められるようになってきている。しかしながら、現状では、その両立は困難な状況にある。
【０００５】
本発明は、捕虫性能及びインテリア性を共に向上できる捕虫器を提供することを目的としている。
【課題を解決するための手段】
【０００６】
本願の第１発明は、捕虫器に取り付けて使用される発光シート部材であって、
３５０〜４００ｎｍの範囲内にピーク波長を有する紫外線を受けると蛍光を発光する発光機能を、有する、シート本体を、備えており、
前記シート本体が、一面側の一部に、捕虫用粘着剤が塗布された捕虫領域を、有している、
ことを特徴としている。
【０００７】
本願の第２発明は、誘虫性紫外線含有光を発光する光源を備えた本体と、前記本体の少なくとも前方を囲む外套と、を有する捕虫器において、
前記本体は、
前記光源の後方に配置された捕虫シートと、
前記捕虫シートの後方に配置された、前記第１発明の発光シート部材と、を更に備えている、
ことを特徴としている。
【発明の効果】
【０００８】
本願の第１発明の発光シート部材によれば、捕虫器に使用されることにより、次のような効果を発揮できる。
（ａ）所望の蛍光色を呈するので、インテリア性を向上できる。
【０００９】
（ｂ）捕虫領域によって、捕虫を行う面積を増大できるので、捕虫性能を向上できる。
【００１０】
（ｃ）発光によって、４００〜５５０ｎｍの範囲の波長の可視光を大幅に増加でき、それにより、大型の飛翔昆虫も誘引して捕獲できる。よって、この点からも、捕虫性能を向上できる。
【００１１】
本願の第２発明の捕虫器によれば、次のような効果を発揮できる。
（１）発光シート部材が所望の蛍光色を呈するので、インテリア性を向上できる。
【００１２】
（２）捕虫を行う面積が、捕虫シートの表裏全面だけでなく、発光シート部材の捕虫領域も、含んでいるので、捕虫シートのみの場合に比して、１．５倍となる。よって、捕虫性能を向上できる。
【００１３】
（３）発光シート部材が発光するので、４００〜５５０ｎｍの範囲の波長の可視光が、大幅に増加する。それ故、大型の飛翔昆虫も誘引して捕獲できる。よって、この点からも、捕虫性能を向上できる。
【図面の簡単な説明】
【００１４】
【図１】本発明の一実施形態の捕虫器を示す上方斜視図である。
【図２】図１の捕虫器の正面図（II矢視図）である。
【図３】図１の捕虫器の平面図（図２のIII矢視図）である。
【図４】図１の捕虫器の側面図（図２のIV矢視図）である。
【図５】光源が照射する紫外線の波長を示す図である。
【図６】捕虫器の正面透視図である。
【図７】捕虫器の側面透視図である。
【図８】可動部及び３個のカバー体を取り外した状態の捕虫器を示す上方斜視図であり、すなわち、固定部を示す上方斜視図である。
【図９】可動部の斜視図である。
【図１０】可動部の正面図である。
【図１１】図１０のＸＩ−ＸＩ断面図である。
【図１２】発光シート部材の正面図である。
【図１３】発光シート部材及び捕虫シートが取り付けられた可動部の正面図である。
【図１４】捕虫器が発する光の波長を示す図である。
【図１５】別の発光シート部材の斜視図である。
【発明を実施するための形態】
【００１５】
図１は、本発明の一実施形態の捕虫器を示す上方斜視図である。なお、図１では、内部に取り付けられる部材の図示を省略している。図２は、図１の捕虫器の正面図（II矢視図）である。図３は、図１の捕虫器の平面図（図２のIII矢視図）である。図４は、図１の捕虫器の側面図（図２のIV矢視図）である。捕虫器１０は、光源３を備えた本体１と、本体１の周囲の前側を囲む外套２と、を有している。
【００１６】
光源３は、誘虫性紫外線含有光を発光する、例えばＬＥＤである。誘虫性紫外線含有光は、図５に示されるような、３５０〜４００ｎｍの範囲内にピーク波長を有する紫外線を、含んでいる。
【００１７】
外套２は、複数個（ここでは４個）のカバー体２１を上下に並べて構成されている。カバー体２１は、漏斗体の上縁部が平面視で半分にされた形態を有している。上下のカバー体２１間には、水平面視で隙間２２が設けられている。カバー体２１は、ここでは白色を呈している。
【００１８】
図６は、捕虫器１０の正面透視図である。図７は、捕虫器１０の側面透視図である。本体１は、光源３が固定された固定部５と、固定部５に対して着脱可能に取り付けられる可動部６と、を有している。
【００１９】
図８は、可動部６及び３個のカバー体２１を取り外した状態の捕虫器１０を示す上方斜視図であり、すなわち、固定部５を示す上方斜視図である。固定部５は、底部５１と背部５２とを有している。光源３は、底部５１上に設けられている。背部５２は、背板部５２１と、２つの側板部５２２と、を有している。背板部５２１には、側板部５２２を切り起こしたことによる孔部５２３ができている。側板部５２２の下部には、内向きの保持片部５２４が形成されている。
【００２０】
可動部６は、背板部５２１と２つの側板部５２２とに沿ってスライドすることにより、固定部５に取り付けられるようになっている。図９は、可動部６の斜視図である。図１０は、可動部６の正面図である。可動部６は、背板部６１と、水平上板部６２と、水平底部６３と、２つの側板部６４と、を有している。水平上板部６２は、特に図３に示されるように、本体１の略全部を平面視で覆うように、背板部６１から前方に延びている。可動部６は、側板部６４を固定部５の側板部５２２に沿わせながらスライドさせることにより、固定部５に取り付けられる。可動部６は、固定部５の底部５１までスライドすると、保持片部５２４によって前方から保持される。
【００２１】
背板部６１の上部には、側板部６４から等間隔Ｌの位置に、２個のフック６６が設けられている。背板部６１の下部には、横方向に延びた受板６７が固定されている。図１０のＸＩ−ＸＩ断面図である図１１に示されるように、フック６６は、背板部６１との間に、下に開いた隙間６６１を有しており、また、受板６７は、背板部６１との間に、上に開いた隙間６７１を有している。これにより、後述する発光シート部材７は、下縁を隙間６７１に差し込み、上縁を隙間６６１に差し込むことにより、可動部６に交換可能に取り付けられるようになっている。
【００２２】
水平底部６３は、２組のシート支持部６８を有している。シート支持部６８は、２個の対向した上向き片部６８１を有している。上向き片部６８１は、上縁部６８１１が対向方向に向けて湾曲している。そして、上縁部６８１１の前後方向中央には、横方向に延びた隙間６８０が形成されている。一方、フック６６の先端には、後述する捕虫シート８の上縁が引っ掛けられる引掛部６６１が形成されている。これにより、捕虫シート８は、上縁を引掛部６６１に引っ掛け、下縁を隙間６８０に差し込むことにより、可動部６に交換可能に取り付けられるようになっている。
【００２３】
そして、捕虫器１０の内部には、１枚の発光シート部材７及び２枚の捕虫シート８が取り付けられている。
【００２４】
捕虫シート８は、シートの表裏全面に捕虫用粘着材が塗布されたものである。シートは、例えば、紙シートである。捕虫シート８としては、公知のものを使用できる。捕虫シート８は、短冊状の形態を有しており、２個のフック６６のそれぞれに取り付けられている。図７に示されるように、捕虫シート８は、前方に向いて垂直な状態で、上述したように可動部１２に取り付けられており、光源３よりも後方に位置している。
【００２５】
図１２は、発光シート部材７の正面図である。発光シート部材７は、３５０〜４００ｎｍの範囲内にピーク波長を有する紫外線を受けると蛍光を発光する発光機能を、有する、シート本体７１を、備えている。シート本体７１としては、種々の蛍光色を呈する、公知のものを、使用できる。蛍光色としては、例えば、青色、緑色、赤色、白色、黄色、黄緑色、オレンジ色等がある。
【００２６】
発光シート部材７は、図９に示されるように、背板部６１のフック６６と受板６７との間の略全面に、設けられており、図７に示されるように、捕虫シート８よりも後方に位置している。図１３は、発光シート部材７及び捕虫シート８が取り付けられた可動部１２の正面図である。捕虫シート８よりも後方に位置している発光シート部材７には、光源３を点灯した際に、捕虫シート８の影となる領域７３（図１２）ができる。そして、領域７３には、捕虫用粘着材が塗布されている。すなわち、領域７３は、捕虫領域として機能するようになっている。
【００２７】
上記構成の捕虫器１０によれば、次のような効果を発揮できる。
（ａ）発光シート部材７が所望の蛍光色を呈するので、インテリア性を向上できる。
【００２８】
（ｂ）捕虫を行う面積が、捕虫シート８の表裏全面だけでなく、発光シート部材７の領域７３も、含んでいるので、捕虫シート８のみの場合に比して、１．５倍となる。よって、捕虫性能を向上できる。
【００２９】
（ｃ）発光シート部材７が発光するので、４００〜５５０ｎｍの範囲の波長の可視光が、図１４のＫに示されるように、大幅に増加する。それ故、大型の飛翔昆虫も誘引して捕獲できる。よって、この点からも、捕虫性能を向上できる。
【００３０】
（ｄ）固定部５から可動部６を取り外して発光シート部材７を別の発光シート部材７と容易に交換できるので、所望の蛍光色を呈する発光シート部材７を容易に取り付けることができる。よって、捕虫器１０に、取付場所の雰囲気を考慮した蛍光色を持たせることができ、この点からもインテリア性を向上できる。
【００３１】
（ｅ）固定部５から可動部６をスライドさせて容易に取り外すことができ、更に、発光シート部材７及び捕虫シート８を新たな発光シート部材７及び捕虫シート８に容易に交換できる。よって、捕虫性能の更新作業を容易に実行できる。
【００３２】
［変形例］
図１５に示されるような発光シート部材７Ａを採用してもよい。図１５は、発光シート部材７Ａの斜視図である。この発光シート部材７Ａは、シート本体７１の一面側に透明フィルム７２を有しており、透明フィルム７２の表面に、捕虫領域である領域７３が設けられている。そして、透明フィルム７２は、シート本体７１に対して着脱可能となっている。
【００３３】
上記構成の発光シート部材７Ａによれば、領域７３の使用期間が過ぎた場合に、透明フィルム７２をシート本体７１から剥ぎ取り、新たな透明フィルム７２をシート本体７１に貼り付けることにより、未使用の領域７３を有する発光シート部材７Ａに交換できる。したがって、高価なシート本体７１をそのまま使用でき、よって、費用対効果を向上できる。
【産業上の利用可能性】
【００３４】
本発明の捕虫器は、捕虫性能及びインテリア性を共に向上できるので、産業上の利用価値が大である。
【符号の説明】
【００３５】
１  本体
３  光源
５  固定部
５１  底部
５２  背部
６  可動部
７、７Ａ  発光シート部材
７１  シート本体
７２  透明フィルム
７３  捕虫領域
８  捕虫シート
１０  捕虫器
【図１】
2020156334.tif 000003
【図２】
2020156334.tif 000004
【図３】
2020156334.tif 000005
【図４】
2020156334.tif 000006
【図５】
2020156334.tif 000007
【図６】
2020156334.tif 000008
【図７】
2020156334.tif 000009
【図８】
2020156334.tif 000010
【図９】
2020156334.tif 000011
【図１０】
2020156334.tif 000012
【図１１】
2020156334.tif 000013
【図１２】
2020156334.tif 000014
【図１３】
2020156334.tif 000015
【図１４】
2020156334.tif 000016
【図１５】
2020156334.tif 000017